(57)【特許請求の範囲】
【請求項１】
血液バッグを載置し、上下動する蓋を備えたテーブルと、このテーブル上の血液バッグに放射線を照射する放射線源と、を備えた血液バッグ用放射線照射装置において、
前記血液バッグに放射線を緊急に照射する緊急照射モードを自動認識させるための情報を付与する手段と、該手段により、緊急照射モードと認識された場合、前記テーブルと前記放射線源との間の距離を短く調整させる手段と、を有し、前記情報を付与する手段は、前記血液バックを前記テーブルの中央部の一箇所に配置する緊急照射冶具と、前記緊急照射冶具に備えられたマグネットホルダーに収容されたマグネットを検出する磁器センサと、を有し、前記磁器センサは、前記血液バックを設置し前記蓋を閉めた際の緊急照射冶具の沈み込みによる前記マグネットホルダーの可変範囲に複数個配置されることを特徴とする血液バッグ用放射線照射装置。
【発明の詳細な説明】
【０００１】
【発明の属する技術分野】
本発明は、複数の血液バッグを均一に放射線照射可能とした血液バッグ用放射線照射装置に係り、緊急時に前記血液バッグ中の血液を迅速に輸血に供することのできる血液バッグ用放射線照射装置に関する。
【０００２】
【従来の技術】
従来の血液バッグ用放射線照射装置は、特開平10-274699号公報に示されるように、複数の血液バッグを並べて載置でき、かつそれらの相互位置関係を保持したまま上下面を反転可能なターンテーブルと、このターンテーブルの血液バッグ載置面の上方又は下方から当該載置面上の血液バッグに放射線照射する放射線源と、ターンテーブルを回転させつつ放射線源から放射線を出射させてターンテーブル上の複数の血液バッグに放射線照射させ、その複数の血液バッグへの設定総放射線照射量に応じた所定照射量に達した際にターンテーブルの上下面を反転させ、再びターンテーブルを回転させつつ放射線源から放射線を出射させてそのターンテーブル上の複数の血液バッグに放射線照射させる制御手段９とを設け、処理能力を低下させることなく、血液バッグの厚み方向の線量分布均一化と装置の低価格化の両立を図っている。
【０００３】
【発明が解決しようとする課題】
しかしながら、上記従来技術は、輸血する血液が緊急に欲しいときに、血液バッグに放射線を緊急照射するという配慮がなかった。
そこで、本発明の目的は、血液バッグに放射線を自動的に緊急照射できる血液バッグ用放射線照射装置を提供することにある。
【０００４】
【課題を解決するための手段】
上記目的は、複数の血液バッグを載置するテーブルと、このテーブル上の血液バッグに放射線を照射する放射線源とを備えた血液バッグ用放射線照射装置において、前記血液バッグに放射線を緊急に照射する緊急照射モードを自動認識させるための情報を付与する手段と、その付与された情報に基づいて前記テーブルと前記放射線源との間の距離を調整させる手段とを備えたことを特徴とする血液バッグ用放射線照射装置によって達成される。
【０００５】
【発明の実施の形態】
以下、図面を参照して本発明の実施形態を説明する。
【０００６】
図１は、本発明による緊急照射用冶具をセットしていることを検出し、緊急照射モードを自動的に検出することができる機能を有するＸ線照射装置の一例を示す構成例である。
【０００７】
本発明のＸ線照射装置は、Ｘ線を発生するＸ線管装置１と、高電圧をＸ線管装置１に供給する高電圧発生装置２と、Ｘ線の発生と各機構部部および安全回路等を制御する制御器３と、血液バッグ１０を搭載するための反転式ターンテーブル８と、緊急照射用冶具２０と、緊急照射用冶具検出用のマグネットを収納しているマグネットホルダー２１と、磁気センサ２２と、Ｘ線を照射するための鉛等で遮へいされた防護ボックス４と、照射されたＸ線量をモニターする線量計プローブ５と、線量計プローブ５からの信号で線量のカウントを行う線量計６と、操作画面を表示する操作器７とが、防護ボックス４内に配置され、Ｘ線管装置１を冷却する冷却器９から構成される。
【０００８】
図２において、緊急照射用冶具および緊急照射モード検出機能の説明を行う。図２（ａ）は本発明の血液バッグ用Ｘ線照射装置のターンテーブル部の斜視図，図２（ｂ）は図２（ａ）の断面図である。
【０００９】
また、反転式ターンテーブルの機構については、特開平10-274699号公報で詳しく説明されているため、その説明を省略し、発明の主要部分のみを説明する。
【００１０】
緊急照射冶具２０は、緊急照射用冶具検出用のマグネットとマグネットを収納しているマグネットホルダー２１で構成される。反転式ターンテーブル８は、緊急照射用冶具をセットするための位置決めピン８ａと緊急照射冶具検出用のマグネットホルダー２１が入る切り欠き８ｂを付加する。更に反転式ターンテーブル回転部を収納しているケース部８ｃにおいて、緊急照射用冶具検出用のマグネットホルダー２１内のマグネットの磁気を検出できる位置にマグネットセンサ２２を配置する。厚み方向にマグネットセンサ２２を配置する個数は、血液バッグ１０の最大厚さが、約６０ｍｍであることから、マグネット２１の磁気が検出できる範囲を考慮し、本一例では４個とする。マグネットセンサ２２の感度により、厚み方向に配置する個数は変更可能である。
【００１１】
また、スペース上可能であれば、マイクロスイッチを用いても良い。但し、マイクロスイッチを使用する場合は緊急照射冶具にマグネット２１ではなく、マイクロスイッチ用のカムを使用する必要がある。制御器３は、マグネットセンサ２１からの信号を受信した場合、通常モードから緊急照射モードを操作器７に表示させ、緊急照射時における線量計６に送信する設定線量に制御器３内部に記憶している内部パラメータへ自動的に変更することや緊急照射用冶具２０を反転式ターンテーブル８にセットしている間は、通常照射モードに戻らない。また緊急照射用冶具２０をセットしないで、緊急照射を行うことができない等の各種インターロック機能を起動し、反転式ターンテーブル８に緊急照射位置へ移動させるプログラムを付加する。但し、上記プログラムは、同時に複数のマグネットセンサ２１からの出力信号を受信しても動作する。
【００１２】
また、図示しないが、ターンテーブルの上下機構は、ステップモータを動力源としてターンテーブルと送りねじとを連携して上下動させる周知の技術で行っているので、詳しい説明は省略した。
【００１３】
図２において、緊急照射用冶具２０および緊急照射モード検出機能における動作説明を行う。反転式ターンテーブル８に緊急照射用冶具２０をセットし、血液バッグ１０を搭載し、反転式ターンテーブルの蓋８ｄを閉める。血液バッグ１０の厚さに応じて、反転式ターンテーブル８の底板８ｅが沈み込み、同時に緊急照射用冶具２０のマグネット２１も沈み込む。緊急照射用冶具２０のマグネット２１の磁気に反応したマグネットセンサ２２から信号が出力される。制御器３はマグネットセンサ２２からの出力信号を受信し、緊急照射モードを表示器７に表示させる。
【００１４】
また、緊急照射時における線量計６に送信する設定線量に制御器３内部にて記憶している内部パラメータへ自動的に変更する。操作器７にて、Ｘ線条件を決定後、Ｘ線入りスイッチを押す。
【００１５】
反転式ターンテーブル８は、自動的に緊急照射位置まで上昇し到達後、回転とＸ線照射を開始する。血液バッグ１０表面の設定線量に到達するとＸ線照射および回転動作が停止する。反転式ターンテーブル８は、反転位置まで下降し反転する。反転後、再度、緊急照射位置まで上昇し到達後、回転とＸ線照射を開始する。血液バッグ１０裏面の設定線量に到達すると、Ｘ線照射および回転動作が停止する。反転式ターンテーブル８は、最下位まで下降し、操作器７に照射完了を表示し、扉のインターロックが解除される。操作者は防護扉を開き、血液バッグ１０を取り出す。
【００１６】
上記実施の形態によれば、輸血用血液にＸ線を照射し、輸血後のＧＶＨＤを予防すること目的としたＸ線照射装置で周知のＸ線照射装置に有する反転式ターンテーブルにおいて、血液バッグの厚みにより、緊急照射用冶具に付加しているマグネットが沈み込むが、Ｘ線照射装置に有する反転式ターンテーブルにおいて、緊急照射用冶具にマグネットホルダーを付加する。
【００１７】
また、血液バッグは内容量および成分により厚さが異なるため、緊急照射用冶具に付加したマグネットホルダーの沈み込む量が一定位置とならないが、マグネットホルダーの可変範囲に、マグネットセンサを配置させ、各血液バッグをセットしても、マグネットセンサからの出力信号を読み取ることが可能で、通常モードから緊急照射モードを操作器に表示させ、緊急照射時における線量計に送信する設定線量に制御器内部に記憶している内部パラメータへ自動的に変更することや緊急照射用冶具を反転式ターンテーブルにセットしている間は、通常照射モードに戻らない。緊急照射用冶具をセットしないと緊急照射を行えない等の各種インターロック機能を起動し、反転式ターンテーブルに緊急照射位置へ移動させることができるプログラムを付加した制御器と緊急照射モードを表示する操作器を付加することで、輸血用血液バッグの厚さが変わっても、緊急照射用冶具を検出し、緊急照射モードを自動的に検出することができる機能を有するＸ線照射装置を提供し、操作者の負担を軽減させることができる。
【００１８】
また、上記実施形態では放射線の種類をＸ線で説明したが、ガンマ線やほかの放射線源であっても、ＧＶＨＤに効果のある放射線源での実施は本発明に含まれる。
【００１９】
また、緊急照射モードを自動認識させるための情報を付与する手段として緊急照射用事具を用いたが、血液バッグ自身にシールなどを貼るなどして緊急照射モードを自動認識させるための情報としてもよい。
【００２０】
【発明の効果】
本発明は、血液バッグに放射線を自動的に緊急照射できる血液バッグ用放射線照射装置を提供するという効果を奏する。
【図面の簡単な説明】
【図１】本発明の血液バッグ用Ｘ線照射装置の実施の一形態を示すブロック図。
【図２】本発明の血液バッグ用Ｘ線照射装置のターンテーブル部の斜視図とその断面図。
【符号の説明】
１   Ｘ線管装置
８   反転式ターンテーブル
１０   血液バッグ
２０   緊急照射用冶具
２１   マグネットホルダ
２２   マグネットセンサ
【図１】
0004609968.tif 000002
【図２】
0004609968.tif 000003